(57)【要約】【課題】Ｕリンクを被装着体から外した場合においてもＵリンクを紛失する恐れがないＵリンク装置を提供する。また、測定プラグを外すときにＵリンクが共抜けすることがなく、Ｕリンクや測定プラグを外れにくくする。【解決手段】Ｕリンク４を装着する被装着体５が設けられた基板２に固定された保持片２０又は被装着体５に、Ｕリンク４を自身の差し込み端子７，８の挿抜方向に移動可能に係止すると共に差し込み端子７，８が差込口１７，１８から抜かれた状態において回転可能に保持するＵリンク係止手段を設ける。この手段は、Ｕリンク４に取り付けられた係止ピン２２を移動可能に係止させるガイド溝２１を保持片２０又は被装着体５に設けることで構成される。Ｕリンク４の測定用差込口１１への測定プラグ１０ａの挿抜方向を被装着体５の差込口１７，１８への差し込み端子７，８の挿抜方向と異ならせ、また、差込口及び測定用差込口を斜め上方に開口するように設ける。【選択図】        図１
2010182535.tif 000002
【特許請求の範囲】
【請求項１】
１又は複数の対をなす差し込み端子を有するＵリンクと、
設置板に設けられて前記Ｕリンクの差し込み端子が差し込まれる伝送路側に接続された差込口及び装置側に接続された差込口を有する被装着体とを備え、
前記差し込み端子が前記伝送路側及び装置側の差込口に差し込まれた場合に前記伝送路側と装置側とを接続する短絡状態が形成されると共に、前記差し込み端子が前記差込口から抜かれた場合に前記伝送路側と前記装置側とを切り離す開放状態が形成されるＵリンク装置において、
前記設置板に固定された保持片又は前記被装着体に、前記Ｕリンクを前記差し込み端子の挿抜方向に移動可能に係止すると共に前記差し込み端子が前記差込口から抜かれた状態において回転可能に保持するＵリンク係止手段を設けたことを特徴とするＵリンク装置。
【請求項２】
前記Ｕリンク係止手段は、前記Ｕリンクに取り付けられた係止ピンを移動可能に係止させるガイド溝を前記保持片又は前記被装着体に設けて構成され、前記ガイド溝を、前記差し込み端子の挿抜方向に延設された傾斜溝とこの傾斜溝の上端又はその近傍から下方に延設された鉛直溝とにより構成したことを特徴とする請求項１記載のＵリンク装置。
【請求項３】
前記Ｕリンクの前記対をなす差し込み端子は連結部を介して電気的に接続されており、前記連結部に測定プラグを挿入する測定用差込口が設けられ、前記測定用差込口への前記測定プラグの挿抜方向を前記差込口への前記差し込み端子の挿抜方向と異ならせたことを特徴とする請求項１又は２記載のＵリンク装置。
【請求項４】
前記差込口及び前記測定用差込口は、斜め上方に開口するように設けられていることを特徴とする請求項３記載のＵリンク装置。
【請求項５】
前記Ｕリンクの差し込み端子が前記差込口に差し込まれた状態において、この状態を固定するロック手段を設けたことを特徴とする請求項１乃至４のいずれかに記載のＵリンク装置。
【発明の詳細な説明】
【技術分野】
【０００１】
本発明は、伝送路側と装置側との回線の接続・切断及び回線の試験等を行うためのＵリンク装置に関するものであり、より具体的には、対をなす差し込み端子を有するＵリンクと、このＵリンクを装着する被装着体とを有して構成されるＵリンク装置に関する。
【背景技術】
【０００２】
遠隔監視制御装置や通信関係装置には、通信回線の試験や装置側と伝送路側との切り離し等に使用されるＵリンク装置が設けられている。このＵリンク装置は、対をなす差し込み端子を有するＵリンクと、このＵリンクの差し込み端子が差し込まれる伝送路側に接続された差込口及び装置側に接続された差込口を備えた被装着体とを有して構成され、通常においては、Ｕリンクが被装着体に装着されて（Ｕリンクの対をなす差し込み端子が差込口に装着されて）伝送路側と装置側とを接続する短絡状態が形成されおり、点検などで伝送路側と装置側とを切り離したい場合や、装置側と伝送路側とのレベルを個々に測定したい場合には、Ｕリンクを外すことで（Ｕリンクの対をなす差し込み端子を差込口から外すことで）伝送路側と装置側とを切り離す開放状態が形成されるようになっている。
また、Ｕリンクには、測定プラグを差し込むことが可能な測定用差込口が設けられ、この測定用差込口に測定プラグを差し込むことで装置側と伝送路側とを接続した状態のレベルを測定できるようになっている。
【０００３】
このようなＵリンク装置は、一般的に、下記する特許文献１乃至３に示されるように、装置の端面に設けられた上下に対をなす差込口（例えば、上側が伝送路側の差込口、下側が装置側の差込口）が２組形成され、Ｕリンクにもこれに対応して上下に対をなす電気的に接続された差し込み端子が２組設けられている。また、Ｕリンクには、差し込み端子が設けられた面と反対側の面に測定用差込口が設けられている。
【先行技術文献】
【特許文献】
【０００４】
【特許文献１】特開２００６−１７９２９７号公報
【特許文献２】特開２００６−２５３００６号公報
【特許文献３】特開２００８−１８６６５２号公報
【発明の概要】
【発明が解決しようとする課題】
【０００５】
しかしながら、Ｕリンクは比較的小さいものであるため、Ｕリンクを被装着体から外した場合にはどこかに保管しなければ紛失する恐れがある。
また、上述した一般的な構成においては、Ｕリンクの差込口に差し込む方向と測定プラグの測定用差込口に差し込む方向とが同方向であるため、測定プラグの引き抜き時にＵリンクが測定プラグと共抜けする不都合がある。さらに、Ｕリンクや測定プラグは水平方向に挿抜されるものであるため、Ｕリンクや測定プラグが差込口や測定用差込口から外れやすい構成となっている。
【０００６】
本発明は、かかる事情に鑑みてなされたものであり、Ｕリンクを被装着体から外した場合においてもＵリンクを紛失する恐れがないＵリンク装置を提供することを主たる課題としている。また、測定プラグを外すときにＵリンクが共抜けすることがなく、また、Ｕリンクや測定プラグを外れにくくすることをも課題としている。
【課題を解決するための手段】
【０００７】
上記課題を達成するために、本発明に係るＵリンク装置は、１又は複数の対をなす差し込み端子を有するＵリンクと、設置板に設けられて前記Ｕリンクの差し込み端子が差し込まれる伝送路側に接続された差込口及び装置側に接続された差込口を有する被装着体とを備え、前記差し込み端子が前記伝送路側及び装置側の差込口に差し込まれた場合に前記伝送路側と装置側とを接続する短絡状態が形成されると共に、前記差し込み端子が前記差込口から抜かれた場合に前記伝送路側と前記装置側とを切り離す開放状態が形成される装置であって、前記設置板に固定された保持片又は前記被装着体に、前記Ｕリンクを前記差し込み端子の挿抜方向に移動可能に係止すると共に前記差し込み端子が前記差込口から抜かれた状態において回転可能に保持するＵリンク係止手段を設けたことを特徴としている。
【０００８】
したがって、Ｕリンクを被装着体から外した場合においても、Ｕリンクを設置板に固定された保持片又は被装着体に係止させた状態が保持されているので、Ｕリンクを紛失する恐れがなくなる。また、係止状態を保持しつつＵリンクを差し込み端子の挿抜方向に移動可能としているので、差し込み端子の差込口への挿抜操作を容易に行うことが可能となり、また、差し込み端子が差込口から抜かれた状態においても回転可能に保持されるので、被装着体の前面を大きく開けることが可能となり、差込口への測定プラグの挿入が容易となる。
【０００９】
ここで、Ｕリンク係止手段としては、前記Ｕリンクに取り付けられた係止ピンを移動可能に係止させるガイド溝を前記保持片又は前記被装着体に設けて構成し、前記ガイド溝を、前記差し込み端子の挿抜方向に延設された傾斜溝とこの傾斜溝の上端又はその近傍から下方に延設された鉛直溝とにより構成するようにしてもよい。
【００１０】
また、前記Ｕリンクの前記対をなす差し込み端子が連結部を介して電気的に接続され、この連結部に測定プラグを挿入する測定用差込口が設けられる場合においては、前記測定用差込口への前記測定プラグの挿抜方向を前記差込口への前記差し込み端子の挿抜方向と異ならせることが好ましい。このような構成とすることで、測定プラグを測定用差込口から抜き取る場合に、Ｕリンクが共抜けすることがなくなる。
【００１１】
さらに、差込口及び測定用差込口は、斜め上方に開口するように設けるとよい。このような構成においては、Ｕリンクや測定ケーブルが差込口や測定用差込口から脱落しにくくなる。
【００１２】
さらにまた、Ｕリンクの差し込み端子が前記差込口に差し込まれた状態において、この状態を固定するロック手段を設けるようにしてもよい。このような構成によれば、Ｕリンクが不用意に外れることを確実に防止することが可能となる。
【発明の効果】
【００１３】
以上述べたように、本発明によれば、被装着体が設けられる設置板に固定された保持片又は前記被装着体に、Ｕリンクを、差し込み端子の挿抜方向に移動可能に係止すると共に差し込み端子が差込口から抜かれた状態において回転可能に保持するようにしたので、Ｕリンクを被装着体から外した場合においても、Ｕリンクを保持片又は被装着体に係止させた状態が保持されるので、Ｕリンクをどこかに保管する必要がなくなり、紛失する恐れがなくなる。また、Ｕリンクは保持片又は被装着体に係止した状態で差し込み端子の挿抜方向に移動可能としているので、差し込み端子の挿抜操作が容易となる。さらに、Ｕリンクは差し込み端子が差込口から抜かれた状態において保持片又は被装着体に回転可能に保持されるので、差し込み端子を差込口から抜いた後に被装着体の前面を大きく開けることが可能となり、差込口への測定プラグの挿抜も容易となる。
【００１４】
ここで、Ｕリンクに設けられた測定用差込口への測定プラグの挿抜方向と被装着体に設けられた差込口への差し込み端子の挿抜方向とを異ならせるようにすることで、測定プラグを引き抜く際に生じ得るＵリンクの共抜けを作業者の通常の引き抜き動作において防止することが可能となる。
【００１５】
さらに、差込口や測定用差込口を斜め上方に開口するように設けることで、Ｕリンクや測定プラグが脱落しにくくなり、また、Ｕリンクの差し込み端子が差込口に差し込まれた状態において、この状態を固定するロック手段を設けることで、Ｕリンクが不用意に外れることをより確実に防止することが可能となる。
【図面の簡単な説明】
【００１６】
【図１】図１は、本発明に係るＵリンク装置の構成例を示す図であり、（ａ）は被装着体にＵリンクが装着されている状態を示す斜視図であり、（ｂ）はＵリンクを被装着体から引き抜いた直後の状態を示す斜視図であり、（ｃ）は引き抜かれたＵリンクを傾倒させて保持する状態を示す斜視図である。
【図２】図２は、Ｕリンクを示す図であり、（ａ）はその背面図、（ｂ）はその側断面図、（ｃ）はその正面図である。
【図３】図３は、被装着体を示す図であり、（ａ）はその正面図であり、（ｂ）は（ａ）のＡ−Ａ線から見た側面図であり、（ｃ）はＢ−Ｂ線からみた側面図である。
【図４】図４は、Ｕリンクに取り付けられる係止ピンとロック手段とを説明する図であり、(ａ）は係止ピンを示す斜視図であり、（ｂ）は係止ピンを保持体のガイド溝に摺動可能に挿入した状態を示す斜視図であり、（ｃ）はロック手段を構成する係止ピンの先端部がピン受け部の嵌合孔に嵌合された状態を示す図であり、（ｄ）は係止ピンの先端部がピン受け部の嵌合孔から離脱した状態を示す図である。
【図５】図５は、被装着体に取り付けられているＵリンクを取り外す工程を説明する図であり、（ａ）は被装着体にＵリンクが装着されている状態を示す図であり、（ｂ）はＵリンクを被装着体から引き抜いた直後の状態を示す図であり、（ｃ）は引き抜かれたＵリンクを保持する状態を示す図である。
【図６】図６は、測定プラグを装着する工程を示す図であり、（ａ）は被装着体の差込口に測定プラグを接続する場合の工程を示し、（ｂ）はＵリンクの測定用差込口に測定プラグを接続する場合の工程を示す。
【発明を実施するための形態】
【００１７】
以下、この発明の最良の実施形態を添付図面を参照しながら説明する。
【００１８】
図１において、通信装置１の基板（設置板）２に設けられたＵリンク装置３が示されている。このＵリンク装置３は、低次群の伝送装置と伝送路の故障切り分けや、通信装置の試験・モニタ等のために使用されるＵリンク４と、このＵリンク４を装着可能とする被装着体５とを有して構成されている。
【００１９】
Ｕリンク４は、図２にも示されるように、被装着体５と対峙する側と下側とが解放された箱体６に、１又は複数の対をなす差し込み端子７，８が固定されて構成されているもので、この例では、上下方向に延びる連結部９により電気的に連結された上下に対をなす差し込み端子７，８が２組並設されており、それぞれの差し込み端子７，８は、連結部９から背部に向かって水平方向に延設され、その後、斜め下方に向かって延設された形状となっている。また、連結部９の途中には、図示しない測定機器に接続された測定コード１０の測定プラグ１０ａを挿抜可能とする測定用差込口１１が設けられ、この測定用差込口１１と対峙する箱体６の部分に、測定コード１０の測定プラグ１０ａを測定用差込口１１にアクセスするための開口１２が形成されている。
【００２０】
この測定用差込口１１は、斜め上方に開口するように設けられ、測定用差込口１１の延設方向αは、前記差し込み端子７，８の先端部の延設方向βと異なる方向に延設されている。この例では、Ｕリンク４を図２のように立設させた状態において、αがβよりも傾斜が緩やかに形成されている。
【００２１】
被装着体５は、図３に示されるように、基板２の側端面から突設した１又は複数の対をなす被装着部１５，１６を有し、それぞれの被装着部１５，１６にＵリンク４の差し込み端子７，８が挿抜可能な差込口１７，１８が形成されている。この例では、伝送路側に接続された差込口１７が形成されている被装着部１５と装置側に接続された差込口１８が形成されている被装着部１６とが上下に対をなすように設けられ、この対をなす被装着部１５，１６が２組並設されている。
【００２２】
したがって、前記Ｕリンク４の差し込み端子７，８が被装着部１５，１６の差込口１７，１８に挿入されることで、伝送路側と装置側とを接続する短絡状態が形成され、前記差し込み端子７，８を差込口１７，１８から離脱させることで、伝送路側と装置側とを切り離す開放状態が形成されるようになっている。
【００２３】
各被装着部１５，１６に形成される差込口１７，１８は、斜め上方に開口するように設けられ、この傾斜角は、前記差し込み端子７，８の傾斜角βに一致させている。したがって、測定プラグ１０ａの挿抜方向αは、Ｕリンク４の差し込み端子７，８の挿抜方向βよりも傾斜が緩やかに形成されている。
【００２４】
また、下方の被装着部１６の外脇には、基板２に固定された保持片２０が突設され、この保持片２０に以下述べるガイド溝２１が形成されている。
このガイド溝２１は、箱体６の基板寄りの下端角部近傍に軸方向への動きを許容するよう取り付けられた図４（ａ）にも示す係止ピン２２が摺動可能に挿通されるもので、図４（ｂ）にも示されるように、基板２から遠ざかるにつれて斜め上方に向かって延設された傾斜溝２１ａと、この傾斜溝２１ａの上端又はその近傍に連通し（この例では上端に連通し）、下方に向かって延設された鉛直溝２１ｂとを有して構成されている。この係止ピン２２は、頭部２２ａがガイド溝２１の溝幅よりも大きな径に形成され、先端部２２ｂが被装着部１６の下端に設けられたピン受け部２３に嵌合可能となっており、この例では、係止ピン２２の先端部２２ｂを断面矩形状に形成し、これに合わせてピン受け部２３に断面矩形状の嵌合孔２３ａを形成し、この嵌合孔２３ａに係止ピン２２の先端部２２ｂを挿抜できるようにしている。
【００２５】
傾斜溝２１ａの延設方向は、被装着体５の差込口１７，１８に対して差し込み端子７，８を挿抜する方向と同方向に形成され、傾斜溝２１ａの長さは、差し込み端子７，８の挿抜が完結できる程度の長さに設定されている。また、鉛直溝２１ｂは、この例では、傾斜溝２１ａの上端部から保持片２０の中程にかけて形成され、係止ピン２２が鉛直溝２１ｂの下端に到達した時点でＵリンク４を回動可能に保持できるようにしている。
【００２６】
前記係止ピン２２の途中には、周面から突出した例えば弾性体からなる凸部２２ｃが形成され、この凸部２２ｃは、係止ピン２２を箱体６の外側から軸方向に押し込んで先端部２２ｂをピン受け部２３の嵌合孔２３ａに挿着した状態において、保持片２０とピン受け部２３との間に位置し、係止ピン２２を箱体６の外側へ軸方向に移動させた状態において、凸部２２ｃをガイド溝２１内に収容してガイド溝２１の内面に押し付け、係止ピン２２を留めるようにしている。この係止ピン２２の先端部２２ｂとピン受け部２３とにより、Ｕリンク４の差し込み端子７，８が差込口１７，１８に差し込まれた状態を固定するロック手段が構成されている。
【００２７】
以上の構成において、被装着体５にＵリンク４が装着されている状態においては、図１（ａ），図５（ａ）に示されるように、差し込み端子７，８が被装着体５を構成する被装着部１５，１６の差込口１７，１８に差し込まれて伝送路側と装置側とが接続された状態（短絡状態）にあり、係止ピン２２はガイド溝２１の傾斜溝２１ａの下端部に位置した状態である。
【００２８】
この状態から、Ｕリンク４を被装着体５から離脱させる場合には、図１（ｂ）、図５（ｂ）に示されるように、Ｕリンク４をβの方向に沿って斜め上方に移動させて、差し込み端子７，８を被装着部１５，１６の差込口１７，１８から引き抜く。この操作は、Ｕリンク４をガイド溝２１の傾斜溝２１ａに係止ピン２２が案内されるままに斜め上方へ移動させることによって行われるので、スムーズに引き抜くことが可能となり、係止ピン２２が傾斜溝２１ａの上端に到達した時点で、差し込み端子７，８の差込口１７，１８からの離脱を完了させることができる。
【００２９】
その後、Ｕリンク４をガイド溝２１の鉛直溝２１ｂに沿って下方へ移動させると共に、係止ピン２２を中心に回動させて傾倒させつつ鉛直溝２１ｂの下端まで移動させる。これにより、Ｕリンク４は、鉛直溝２１ｂの下端に傾倒した状態で脱落することなく保持されるので、被装着体５の前面が開放された状態となる。
【００３０】
したがって、Ｕリンク４を被装着体５から離脱させた場合でも、Ｕリンク４を保持片２０に引っ掛けておくことが可能となるので、Ｕリンク４を格別に保管する必要はなく、紛失を防止することが可能となる。また、Ｕリンク４を被装着体５から離脱させて保持片２０に保持させた状態においても、被装着体５の前面を開放させることができるので、図６（ａ）に示されるように、差込口１７，１８に測定プラグ１０ａを差し込んで装置側および伝送路側のレベルを個々に測定することが可能となる。
【００３１】
また、被装着体５から離脱させたＵリンク４を、再び被装着体５に装着させる場合には、上述した離脱工程と逆の工程を行えばよく、Ｕリンク４を手で持って係止ピン２２を中心に回動させて起立させると共に鉛直溝２１ｂに沿って上方に移動させ、係止ピン２２が鉛直溝２１ｂの上端に到達した後に傾斜溝２１ａに沿って斜め下方へ移動させる。すると、Ｕリンク４の差し込み端子７，８が差込口１７，１８に差し込まれ、係止ピン２２が傾斜溝２１ａの下端に到達した時点でＵリンク４の被装着体５への装着が完了する。そして、この状態において、係止ピン２２を外側から軸方向に押し込めば、係止ピン２２の先端部２２ｂをピン受け部２３の嵌合孔２３ａに嵌合させることができ、Ｕリンク４を被装着体５に固定するロック状態が形成される。
【００３２】
したがって、Ｕリンク４を被装着体５に装着した状態が保持され、図６（ｂ）に示されるように、測定プラグ１０ａを測定用差込口１１に差し込むことで、装置側と伝送路側とを接続した状態のレベルを測定することが可能となり、また、測定プラグ１０ａを引き抜く場合においても、測定プラグ１０ａの挿抜方向がＵリンク４の差し込み端子７，８の挿抜方向と異なっているので、係止ピン２２によるロック状態が形成されていなくても測定プラグ１０ａを引き抜く際にＵリンク４が共抜けすることがなくなり、係止ピン２２によるロック状態が形成されている場合には、共抜けをより確実に防ぐことが可能となる。
【００３３】
また、上述の構成においては、差込口１７，１８及び測定用差込口１１が斜め上方に開口するように設けられているので、それらに差し込まれるＵリンク４や測定プラグ１０ａが不用意に脱落することがなくなる。
【００３４】
尚、上述の構成においては、Ｕリンク４を係止させるために箱体６に取り付けられた係止ピン２２を保持片２０のガイド溝２１に摺動可能に係止させるようにしたが、Ｕリンク４に取り付けられた係止ピン２２を被装着体５（より具体的には被装着部１６）に摺動可能及び回動可能に係止させるようにしてもよい。
【００３５】
また、ガイド溝２１は、この例においては、傾斜溝２１ａとその上端に連通する鉛直溝２１ｂとにより構成されているが、鉛直溝２１ｂは傾斜溝２１ａの上端近傍に連通させるようにしても、鉛直溝２１ｂの代わりに傾斜溝２１ａと異なる方向に傾斜させた傾斜溝や傾斜溝２１ａの上端又はその近傍で係止ピン２２を係留させる凹部としてもよい。
【符号の説明】
【００３６】
２  基板（設置板）
４  Ｕリンク
５  被装着体
７，８  差し込み端子
９  連結部
１０ａ  測定プラグ
１１  測定用差込口
１７，１８  差込口
２０  保持片
２１  ガイド溝
２１ａ  傾斜溝
２１ｂ  鉛直溝
２２  係止ピン
２３  ピン受け部
【図１】
2010182535.tif 000003
【図２】
2010182535.tif 000004
【図３】
2010182535.tif 000005
【図４】
2010182535.tif 000006
【図５】
2010182535.tif 000007
【図６】
2010182535.tif 000008